(57)【要約】【課題】  中層、高層の集合住宅における階段口の前スペースに後付設置して、階段口に玄関ホールスペースを形成する自立後付階段口ファサードを提供する。【解決手段】  階段口の庇に近接して一対の後方支柱を、その正面側に一対の前方支柱を設置して、これら支柱によって屋根を支持して、階段口前に生垣の前後幅分のスペースを利用して自立設置のファサードＡを形成する。ファサードＡは、その一方の後方支柱と前方支柱間に号棟等を表示してデザイン要素をなす架設パネルを備えるとともに庇と屋根後端間に、屋根側の上向きの防雨条を、躯体側の防雨条の内側で可動係合自在として、ファサードの自立性を維持しながら、その雨仕舞措置を施したものとしてある。【選択図】  図１
2011084917.tif 000002
【特許請求の範囲】
【請求項１】
集合住宅等の既設建造物における階段口前のスペースに設置した階段口のファサードであって、地表に立設した複数の支柱と、該支柱に支持して上記階段口前のスペースを張出状に被覆する平面方形乃至矩形の屋根を備え、上記支柱及び屋根を、上記階段口の躯体に近接して該躯体の正面側に位置するように自立後付設置してなることを特徴とする既設建造物の自立後付階段口ファサード。
【請求項２】
上記階段口の上端近傍の躯体と、上記屋根の後端にそれぞれ固定して相互に前後可動係合自在とすることによって該躯体の階段口上端と屋根後端間を塞ぐ雨仕舞措置を施してなることを特徴とする請求項１に記載の既設建造物の自立後付階段口ファサード。
【請求項３】
上記雨仕舞措置を、上記階段口の上端近傍の躯体に固定する固定条と、該固定条から前方に突出した断面Ｌ字状の防雨条を有する躯体側長尺バー材と、上記屋根の後端から一体に起立し又は固定条を固定して起立して上記躯体側長尺バー材の防雨条の空間に配置した防雨条を有する屋根側長尺バー材とによって形成してなることを特徴とする請求項２に記載の既設建造物の自立後付階段口ファサード。
【請求項４】
上記支柱を一対として、屋根の支持を、該一対の支柱に片持ち支持してなることを特徴とする請求項１、２又は３に記載の既設建造物の自立後付階段口ファサード。
【請求項５】
上記支柱を、躯体側一対の後方支柱と、正面側一対の前方支柱とし、屋根の支持を、該各一対の後方支柱と前方支柱に屋根のコーナー４点で支持してなることを特徴とする請求項１、２、３又は４に記載の既設建造物の自立後付階段口ファサード。
【請求項６】
上記屋根片持ちの一対の支柱又は上記後方支柱と前方支柱間に、これら支柱の高さ方向中間に横長矩形の架設パネルを配置してなることを特徴とする請求項４又は５に記載の既設建造物の自立後付階段口ファサード。
【請求項７】
上記屋根片持ちの一対の支柱又は上記後方支柱と前方支柱間に、これら支柱間の空間を閉塞する防風パネルを配置してなることを特徴とする請求項４又は５に記載の既設建造物の自立後付階段口ファサード。
【請求項８】
上記前方支柱を後方支柱より上方に突出するよう双方を異長とし且つ該前方支柱の後方支柱より上方に突出した突出部位に架設パネルを配置してなることを特徴とする請求項１、２、３、４、５、６又は７に記載の既設建造物の自立後付階段口ファサード。
【請求項９】
上記支柱を、アルミ、スチール等の中空金属製としてなることを特徴とする請求項１、２、３、４、５、６、７又は８に記載の既設建造物の自立後付階段口ファサード。
【請求項１０】
上記支柱を、該支柱乃至金属構造材にモルタル又はコンクリート被覆層を配置した表面モルタル被覆のモルタル製支柱としてなることを特徴とする請求項１、２、３、４、５、６、７又は８に記載の既設建造物の自立後付階段口ファサード。
【発明の詳細な説明】
【技術分野】
【０００１】
本発明は、例えば、中高層の集合住宅のような既設建造物の階段口の前スペースに設置することによって、階段口に玄関ホールスペースを形成する如くに用いる既設建造物の自立後付階段口ファサードに関する。
【背景技術】
【０００２】
昭和３０年代乃至４０年代以降の旧公団住宅や民間マンションの集合住宅は、いわゆる中廊下のもの以外の、５階建てまでのエレベーター設置のない中層のもの、それ以上のエレベーター設置のある高層のものを含めて、例えば、建造物の北側乃至西側に隣接２戸毎の階段昇降を可能とする階段口が設置されており、該階段口は、一般に、建造物の階段形成スペースを用いて、該建造物内の１階の踊り場への数段の小階段の手前に、２階への階段下との間で狭い空間を形成するように配置され、該２階への階段下の壁面に郵便受けを配置したものとされている。
【０００３】
一方、この種のファサード（アルコープ）として、構造物の出入口の開口に垂壁及び袖壁を配置して、垂れ壁の下端部に化粧框を、袖壁の先端部を化粧付柱で被覆して、出入口の外側を囲む門型のものが提案されており、これによれば、躯体から出入口側に突設した袖壁に添柱を配置し、該添柱を被覆する窯業系無機質材の付柱を添柱に金具固定する一方、該付柱上に架設するように、同じく躯体から出入口側に垂下した垂壁の表面を覆って断面Ｌ字状の化粧框を配置したものとされている。
【先行技術文献】
【特許文献】
【０００４】
【特許文献１】特開平１０−２１９８１６号公報
【発明の概要】
【発明が解決しようとする課題】
【０００５】
上記集合住宅の既設建造物にあっては、上記階段口が建造物内に狭い空間を形成するものとされるところ、該既設建造物の北側面は、各戸の窓間に暗い開口が存在する如きのっぺりした外観を呈するとともに、例えば雨天には、傘を差した状態で階段口の狭い空間に入る必要があり、従って建造物の外観を向上するとともに居住者の利便性を向上することによって、その資産価値の向上に資するものとすることが望まれる。
【０００６】
これに対して、例えば階段口に構造物を形成することによって外観や居住者の利便性を向上することが想定されるところ、上記特許文献１のものにあっては、躯体から突出するように出入口側に垂壁を垂下し、また、袖壁を突設して、その形成を行うものとされるから、新築の場合は、垂壁や袖壁の突出を予定して、予めその設計に取り入れて、出入口の開口を確保しつつ構造物の形成を行うことが可能であるが、上記集合住宅の既設構造物にあっては、既に出入口の開口が定まっており、従って、躯体から垂壁の垂下や袖壁の突設を行うことを前提として、該縦壁や袖壁に対して構造物を付加することは、これら垂下や突出によって開口が狭小化するため、階段口の物の搬入、人の出入等の障害を招く可能性を生じるとともに階段口を暗くする要因となるし、更には、例えば児童等の出入に際しては袖壁に当って怪我をするといった危険を生じる可能性がなる。
【０００７】
本発明はかかる事情に鑑みてなされたもので、その解決課題とするところは、中高層の集合住宅のような既設建造物の階段口の前スペースに設置して、階段口に玄関ホールスペースを形成する如くに用いることによって、建造物の外観を向上するとともに開口を可及的に狭めることなく、居住者の利便性を向上して、その資産価値の向上に資することができるようにした既設建造物の自立後付階段口ファサードを提供するにある。
【課題を解決するための手段】
【０００８】
上記課題に沿って本発明は、既設建造物の階段口設置面は、一般に生垣で覆われており、従ってその階段口は、該生垣の前後幅分のスペースを介して通路乃至道路に至るものとされており、従って該スペースを利用することによって、階段口のファサードを設置可能となること、該ファサードを支柱と屋根を備えたものとすることによって、階段口から通路乃至道路に至る間に屋根付の構造物を設置すれば、該ファサードは階段口の狭い空間を拡張して、玄関ホールとして相当程度に広い空間を確保できること、現場のコンクリート工事によってファサードを設置するのは、工事が大掛かりになり、出入の激しい階段口の実情に照らして適当ではないし、また、既設建造物の部分的な斫り等も必要となり、騒音や塵埃の発生原因となるところ、ファサードを独立の構造物として、階段口に近接して自立後付するように設置することによって、これらファサード設置の問題点を解消できること、ファサードを独立の構造物とするについて、屋根を支持する支柱を必要とするところ、該支柱を、階段口の開口幅（間口）を可及的に狭小化しないように立設するようにすれば、上記生垣のスペースを有効活用しながら、広面積にして居住者に使い勝手のよいものとすることが可能となることに着目してなされたものであって、即ち、請求項１に記載の発明を、集合住宅等の既設建造物における階段口前のスペースに設置した階段口のファサードであって、地表に立設した複数の支柱と、該支柱に支持して上記階段口前のスペースを張出状に被覆する平面方形乃至矩形の屋根を備え、上記支柱及び屋根を、上記階段口の躯体に近接して該躯体の正面側に位置するように自立後付設置してなることを特徴とする既設建造物の自立後付階段口ファサードとしたものである。
【０００９】
請求項２に記載の発明は、上記に加えて、ファサードを階段口前のスペースに自立後付するように設置することによって、特に降雨に際して、階段口と屋根間にスペースが形成される結果、該スペースから雨水が浸入し、階段口とファサード間の連続一体性が損なわれることから、ファサードの自立後付性を維持しながら、該スペースに雨仕舞措置を施したものとし得るように、これを、上記階段口の上端近傍の躯体と、上記屋根の後端にそれぞれ固定して相互に前後可動係合自在とすることによって該躯体の階段口上端と屋根後端間を塞ぐ雨仕舞措置を施してなることを特徴とする請求項１に記載の既設建造物の自立後付階段口ファサードとしたものである。
【００１０】
請求項３に記載の発明は、同じく上記に加えて、該雨仕舞措置を、可及的簡易な構造にして、既設建造物に対する損傷を可及的に少なく且つ雨水の浸入を可及的有効に防止し得るものとし得るように、これを、上記雨仕舞措置を、上記階段口の上端近傍の躯体に固定する固定条と、該固定条から前方に突出した断面Ｌ字状の防雨条を有する躯体側長尺バー材と、上記屋根の後端から一体に起立し又は固定条を固定して起立して上記躯体側長尺バー材の防雨条の空間に配置した防雨条を有する屋根側長尺バー材とによって形成してなることを特徴とする請求項２に記載の既設建造物の自立後付階段口ファサードとしたものである。
【００１１】
請求項４及び５に記載の発明は、同じく上記に加えて、それぞれ自立後付のファサードとして、有効且つ確実に屋根の支持を行なうとともに風圧等の外力に対する強度を容易に確保し得る好ましい形態のものとし得るように、請求項４に記載の発明を、上記支柱を一対として、屋根の支持を、該一対の支柱に片持ち支持してなることを特徴とする請求項１、２又は３に記載の既設建造物の自立後付階段口ファサードとし、請求項５に記載の発明を、上記支柱を、躯体側一対の後方支柱と、正面側一対の前方支柱とし、屋根の支持を、該各一対の後方支柱と前方支柱に屋根のコーナー４点で支持してなることを特徴とする請求項１、２、３又は４に記載の既設建造物の自立後付階段口ファサードとしたものである。
【００１２】
請求項６に記載の発明は、同じく上記に加えて、それぞれ既設建造物の号棟や階段口表示を行なったり、掲示スペース用途に使用したり、また、自立後付のファサードにデザイン要素を付加したりして、該ファサードの外観を向上したものとし得るように、これを、上記屋根片持ちの一対の支柱又は上記後方支柱と前方支柱間に、これら支柱の高さ方向中間に横長矩形の架設パネルを配置してなることを特徴とする請求項４又は５に記載の既設建造物の自立後付階段口ファサードとしたものである。
【００１３】
請求項７に記載の発明は、同じく上記に加えて、上記ファサードの側面を閉塞して、ビル風等の側面からの風圧を減衰して、風雨に対する居住者の使い勝手を更に向上したものとするように、これを、上記屋根片持ちの一対の支柱又は上記後方支柱と前方支柱間に、これら支柱間の空間を閉塞する防風パネルを配置してなることを特徴とする請求項４又は５に記載の既設建造物の自立後付階段口ファサードとしたものである。
【００１４】
請求項８に記載の発明は、同じく上記に加えて、上記請求項６におけると同様に、既設建造物の号棟や階段口表示を行なったり、掲示スペース用途に使用したり、また、自立後付のファサードにデザイン要素を付加したりして、該ファサードの外観を向上したものとし得るように、これを、上記前方支柱を後方支柱より上方に突出するよう双方を異長とし且つ該前方支柱の後方支柱より上方に突出した突出部位に架設パネルを配置してなることを特徴とする請求項１、２、３、４、５、６又は７に記載の既設建造物の自立後付階段口ファサードとしたものである。
【００１５】
請求項９に記載の発明は、同じく上記に加えて、上記支柱を強度に優れて風圧等の外力に対して耐久性を確保したものとし得るように、これを、上記支柱を、アルミ、スチール等の中空金属製としてなることを特徴とする請求項１、２、３、４、５、６、７又は８に記載の既設建造物の自立後付階段口ファサードとしたものである。
【００１６】
請求項１０に記載の発明は、同じく上記に加えて、上記支柱を同じく強度に優れて風圧等の外力に対して耐久性を確保するとともに既設建造物の外壁と同様にモルタル仕上げのものとすることによって、ファサード設置による違和感を解消した外観のものとし得るように、これを、上記支柱を、該支柱乃至金属構造材にモルタル又はコンクリート被覆層を配置した表面モルタル被覆のモルタル製支柱としてなることを特徴とする請求項１、２、３、４、５、６、７又は８に記載の既設建造物の自立後付階段口ファサードとしたものである。
【００１７】
本発明はこれらをそれぞれ発明の要旨として、上記課題解決の手段としたものである。
【００１８】
なお、本発明で階段口ファサードは、例えば、階段口玄関構造物、階段口屋根付構造物等ということができ、従ってファサードは、単に建造物の正面デザインを示す用語として用いるものではなく、三次元スペースを形成する構造物を指称する意味に用いる。
【発明の効果】
【００１９】
本発明は、以上のとおりに構成したから、請求項１に記載の発明は、既設建造物を覆う生垣の前後幅分の階段口のスペースを利用して、階段口から通路乃至道路に至る間に、支柱と屋根を備えた独立の構造物を自立後付するように設置することによって、大掛かりの工事や、これに伴う既設建造物の損傷、騒音や塵埃の発生を可及的に抑制して、階段口の開口幅を狭小化することなく、階段口の狭い空間を拡張して、玄関ホールスペースとして、広面積にして居住者の使い勝手を良好として、建造物の外観を向上するとともに開口を可及的に狭めることなく、居住者の利便性を向上して、その資産価値の向上に資することができるようにした既設建造物の自立後付階段口ファサードを提供することができる。
【００２０】
請求項２に記載の発明は、上記に加えて、ファサードを階段口前のスペースに自立後付するように設置することによって、特に降雨に際して、階段口と屋根間にスペースが形成される結果、該スペースから雨水が浸入し、階段口とファサード間の連続一体性が損なわれることから、ファサードの自立後付性を維持しながら、該スペースに雨仕舞措置を施したものとすることができる。
【００２１】
請求項３に記載の発明は、同じく上記に加えて、該雨仕舞措置を、可及的簡易な構造にして、既設建造物に対する損傷を可及的に少なく且つ雨水の浸入を可及的有効に防止し得るものとすることができる。
【００２２】
請求項４及び５に記載の発明は、同じく上記に加えて、それぞれ自立後付のファサードとして、有効且つ確実に屋根の支持を行なうとともに風圧等の外力に対する強度を容易に確保し得る好ましい形態のものとすることができる。
【００２３】
請求項６に記載の発明は、同じく上記に加えて、それぞれ既設建造物の号棟や階段口表示を行なったり、掲示スペース用途に使用したり、また、自立後付のファサードにデザイン要素を付加したりして、該ファサードの外観を向上したものとすることができる。
【００２４】
請求項７に記載の発明は、同じく上記に加えて、上記ファサードの側面を閉塞して、ビル風等の側面からの風圧を減衰して、風雨に対する居住者の使い勝手を更に向上したものとすることができる。
【００２５】
請求項８に記載の発明は、同じく上記に加えて、上記請求項６におけると同様に、既設建造物の号棟や階段口表示を行なったり、掲示スペース用途に使用したり、また、自立後付のファサードにデザイン要素を付加したりして、該ファサードの外観を向上したものとすることができる。
【００２６】
請求項９に記載の発明は、同じく上記に加えて、上記支柱を強度に優れて風圧等の外力に対して耐久性を確保したものとすることができる。
【００２７】
請求項１０に記載の発明は、同じく上記に加えて、上記支柱を同じく強度に優れて風圧等の外力に対して耐久性を確保するとともに既設建造物の外壁と同様にモルタル仕上げのものとすることによって、ファサード設置による違和感を解消した外観のものとすることができる。
【図面の簡単な説明】
【００２８】
【図１】ファサードの斜視図である。
【図２】ファサードの正面図である。
【図３】階段口とファサードの関係を示す躯体部分の横断面図である。
【図４】階段口とファサードの関係を示す躯体部分の縦断面図である。
【図５】支柱と屋根前後方向端部の関係を示す縦断面図である。
【図６】支柱と屋根幅方向端部の関係を示す縦断面図である。
【図７】屋根と躯体の関係を示す縦断面図である。
【図８】支柱と架設パネルの支持枠の関係を示す部分側面図である。
【図９】支柱と架設パネルの支持枠の関係を示す横断面図である。
【図１０】他の例に係るファサードの正面図である。
【図１１】階段口とファサードの関係を示す躯体部分の横断面図である。
【図１２】階段口とファサードの関係を示す躯体部分の縦断面図である。
【図１３】支柱と屋根幅方向端部の関係を示す縦断面図である。
【図１４】支柱とその立設状態を示す横断面図である。
【図１５】他の例に係るファサードの正面図である。
【図１６】階段口とファサードの関係を示す躯体部分の横断面図である。
【図１７】階段口とファサードの関係を示す躯体部分の縦断面図である。
【図１８】支柱、屋根及び躯体の関係を示す正面側の縦断面図である。
【図１９】支柱と正面パネル幅方向端部の関係を示す正面図である。
【図２０】支柱の構造を示す横断面図である。
【図２１】支柱と正面パネル幅方向端部の関係を示す横断面図である。
【発明を実施するための形態】
【００２９】
以下図面の例に従って本発明を更に具体的に説明すれば、図１乃至図９において、Ａは、集合住宅の既設建造物１、本例にあって、エレベーターのない５階建て旧公団住宅における各５ヶ所ある階段口前のスペースに設置した、例えば屋根３をアーチ形とした階段口１１のファサードであり、該ファサードＡは、地表に立設した複数の支柱２ａ、２ｂと、該支柱２ａ、２ｂに支持して上記階段口１１前のスペースを張出状に被覆する平面方形乃至矩形の屋根３を備え、上記支柱２ａ、２ｂ及び屋根３を、上記階段口１１の躯体に近接して該躯体の正面側に位置するように自立後付設置したものとしてある。
【００３０】
このとき本例のファサードＡは、上記支柱２ａ、２ｂを、躯体側一対の後方支柱２ａと、正面側一対の前方支柱２ｂとし、屋根３の支持を、該各一対の後方支柱２ａと前方支柱２ｂに屋根３のコーナー４点で支持したものとする一方、上記階段口１１の上端近傍の躯体、本例にあっては階段口１１から外方に突出した庇の先端部位と、上記屋根３の後端にそれぞれ固定して相互に前後可動係合自在とすることによって該躯体の階段口１１上端と屋根３後端間を塞ぐ雨仕舞措置５を施したものとし、また、上記屋根３の上記後方支柱２ａと前方支柱２ｂ間に、これら支柱２ａ、２ｂの高さ方向中間に横長矩形の架設パネル６を配置したものとしてある。
【００３１】
即ち、本例にあってファサードＡは、階段口１１の開口幅（間口）に合せて幅を２ｍ程度、正確には２．１ｍ、奥行を１．５ｍ程度、正確には１．４ｍとし、高さを２ｍ程度、正確には２．２ｍとした平面矩形にして、上記後方支柱２ａを階段口１１に近接し、前方支柱２ｂを通路側に配置して、その下端に設置したベースプレート２５をそれぞれ地中に設置した４ヶ所のコンクリート基礎に載置し、該ベースプレート２５をホールインアンカー２６によって固定することによって、該既設建造物１に沿って配置された生垣の幅内のスペースを利用して、その設置を行ってある。
【００３２】
ファサードＡは、上記支柱２ａ、２ｂに、外形を平面矩形とし且つ幅方向に湾曲して上記アーチ形とした屋根フレーム３１を配置し、該屋根フレーム３１に屋根材を載置固定して、これを形成してあり、本例にあって支柱２ａ、２ｂは、金属板、例えば、２ｍｍ程度の肉厚のアルミ板に曲げ加工と溶着を施すことによって形成した断面円形の太径軸２１と、その上位に、該太径軸２１の１／２径にして、高さを１０ｃｍ程度の同様に形成することによって太径軸２１の上面閉塞部の中央位置に溶着等によって起立した短寸異径断面円形の細径軸２２を配置した金属製、特にアルミ製にして高剛性のものとしてある。
【００３３】
屋根フレーム３１は、同じく金属板、例えば、３ｍｍ程度の断面Ｃ字状にした長尺鋼材乃至その長手方向両端に端部を閉塞する端部起立壁を備えた長尺鋼材を用いて、直線をなす左右の構造材３２と、長手方向中央に向けて緩い半径のアーチをなすように湾曲し且つ長手方向両端を垂直とした前後の構造材３２を用いて、これら構造材３２の長手方向端部を相互に接合することによって、屋根３の外形を画するとともに上記前後の構造材３２の長手方向に、上記左右の構造材３２に平行にしてそれぞれ長手方向両端を同じく垂直とした多数の幅方向中間架設の構造材３２を並列架設して、上記平面矩形にして幅方向に構造材３２を並列配置した格子状をなすものとしてある。このとき、上記構造材３２相互の接合は、例えば左右の構造材３２の長手方向両端に、端部起立壁を備えた前後の構造材３２及び中間架設の構造材３２をそれぞれ突き当て状に対接して、左右の構造材３２に対してこれら前後の構造材３２及び中間架設の構造材３２に配置した端部起立壁をボルトナット８で締着固定することによって、これらを一体化するように行ってある。
【００３４】
該屋根フレーム３１は、階段口１１の躯体１に近接して立設した上記後方支柱２ａと、通路側の前方支柱２ｂの４本の支柱に載置固定してあり、該屋根フレーム３１の載置固定は、各支柱２ａ、２ｂ、本例にあっては、その上記細径軸２２の上面に、該上面を閉塞するように配置した、例えば６ｍｍ程度の肉厚の支持ベース３３に、左右の構造材３２の長手方向端部を、同じくボルトナット８で締着固定することによって上記屋根３のコーナー４点での支持を行ってあり、本例にあって、該支持ベース３３は、これを細径軸２２の上端に溶着等の固定手段によって一体化し、ファサードＡの左右に位置する各後方及び前方の支柱に該左右の構造材３２を架設して、その上記ボルトナット８による締着固定を行ってある。
【００３５】
支柱２ａ、２ｂに載置固定した屋根フレーム３１には、それぞれ該屋根フレーム３１の構造材３２を化粧被覆する化粧材４を配置して、これら構造材３２の露出を防止し、ファサードＡとしての仕上げと屋根３を形成するようにしてある。
【００３６】
化粧材４は、上記各構造材３２をそれぞれ被覆する多数の中空バー状の金属製、本例にあってはアルミ製にしてあり、該化粧材４は、前後の構造材３２においてその対向面を帯状に開口して左右の構造材３２及び中間架設の構造材３２の長手方向端部受入溝とし且つ該受入溝上下端に対向方向に水平に突出した固定条４１を配置した該構造材３２を受入れ自在の略同長の長さを有する対向面開口の断面Ｃ字状とし、左右の構造材３２及び中間架設の構造材３２において、長手方向両端に、これら構造材３２の先端を水平に突出するように該両端の開口を狭めて四周面から断面Ｌ字状の固定条４１を配置し且つこれら構造材３２の長さより幾分短寸に形成した断面ロ字状としたものとしてあり、本例にあって、該化粧材４は、同じく２ｍｍ程度の肉厚のアルミ板に曲げ加工と必要に応じた溶着を施すことによって形成したものとしてある。
【００３７】
化粧材４による各構造材３２の被覆は、上記各構造材３２の締着固定前にそれぞれ構造材３２に、該構造材３２を化粧材４に挿入するように事前に行って、上記屋根フレーム３１の形成によって屋根３を形成するようにしてある。このとき前後の構造材３２に対する化粧材４の被覆は、上記支柱２ａ、２ｂ、特にその細径軸２２の支持ベース３３に対する該前後の構造材３２の締着固定とともに、該支持ベース３３に該化粧材４の底壁を載置し、支持ベース３３とこれら構造材３２間に該底壁を挟持して、これら構造材３２とともにそのボルトナット８により締着固定することによって、これを行ってあり、また、左右の構造材３２及び中間架設の構造材３２に対する化粧材４の被覆は、これら構造材３２の前後の構造材３２への締着固定とともに、前後の化粧材４における水平の固定条４１に、そのＬ字状の固定条４１の水平部分をそれぞれ重合して、各化粧材４の上下においてネジ７等の固定金具で固定することによって、これを行ってある。このとき固定条４１は化粧材４の上下中間位置に存在することによってネジ７止めした固定条４１の上下に溝が形成されるところ、該溝にはそれぞれ押縁４２を嵌合装着して、その溝塞ぎを行ってある。
【００３８】
図中６は、本例にあって、ファサードＡの右側に位置する上記後方支柱２ａと前方支柱２ｂ間に、これら支柱２ａ、２ｂの高さ方向中間に配置した横長矩形の架設パネルであり、該架設パネル６は、例えば断面ロ字状の上下枠６１を、これら支柱２ａ、２ｂの対向する面に、支持金具６３を介して固定するとともに該上下枠６１間に、例えば高さを２０ｃｍ程度とした、金属製又は合成樹脂製の長尺パネルを配置したものとしてあり、該架設パネル６は、例えば、号棟や階段口符号を付してサインとし又は掲示スペース用途とし、また、デザイン要素とするように用いるものとしてある。
【００３９】
このように形成した各部材は、ファサードＡの設置現場で支柱２ａ、２ｂの立設、該支柱２ａ、２ｂに対する構造材３２の締着固定、化粧材４の装着を行うとともに架設パネル６を配置することによって組立てて、既設構造物１の階段口１１前に、その躯体、本例にあっては階段口１１の上記庇の先端に近接してその自立後付設置を行うものとしてある。
【００４０】
階段口１１前に設置したファサードＡには、その上記既設建造物１における躯体の階段口１１上端と屋根３後端間を塞ぐ雨仕舞措置５を施してあり、該雨仕舞措置５は、これを、上記階段口１１の上端近傍の躯体に固定する固定条５２と、該固定条５２から前方に突出した断面Ｌ字状の防雨条５３を有する躯体側長尺バー材５１と、上記屋根３の後端に固定条５５を固定して起立して上記躯体側長尺バー材の防雨条５３の空間に配置した防雨条５６を有する屋根側長尺バー材５４とによって形成してある。
【００４１】
本例にあって上記躯体側長尺バー材５１は、垂直の固定条５２と、天板を前方へ傾斜し且つその前端から防雨条５６を垂下して、全体として断面Ｓ字状を呈する、例えば１〜２ｍｍ程度、正確には１．５ｍｍの肉厚の金属板、本例にあってはアルミ板に曲げ加工を施した、階段口の開口幅、換言すればファサードＡの屋根３の左右横幅と略同長にして、その高さを、アーチ形の屋根３の湾曲高さに応じた、例えば１０ｃｍ程度としたものとしてある。また、屋根側長尺バー材５４は、本例にあって屋根３とは別体の独立部材としてあり、上記湾曲した後方の構造材３２に応じて同様に湾曲した固定条５５と、該固定条５５の後端から垂直に起立し且つ上端を屋根側に折り返した防雨条５６とによって断面Ｌ字状を呈する、同じく１〜２ｍｍ程度、正確には１．５ｍｍの肉厚の金属板、本例にあってはアルミ板に曲げ加工を施した、例えば同じく１０ｃｍ程度の高さのものとしてある。
【００４２】
躯体側長尺バー材５１は、階段口１１の開口近傍の躯体、本例にあっては階段口１１の上記庇の先端に沿って直線をなすように、また、躯体に不陸がある場合には、不陸吸収用の防水材を介する等して、その長手方向所定間隔にネジ７等の固定金具で躯体に固定してあり、屋根側長尺バー材５４は、その固定条５５を後方の構造材３２に載置し、躯体側長尺バー材５１の天板の下位に、その起立した防雨条５６が位置するように、同じく長手方向所定間隔にネジ７等の固定金具によって該後方の構造材３２に固定してあり、このとき、上記躯体側長尺バー材５１の躯体への設置高さを、屋根側長尺バー材５４の長手方向中央位置における固定条５５より、その垂下した防雨条５３の下端が数ｃｍ、例えば２〜３ｃｍ程度上方に位置するようにして、これらの間に上下の余裕間隔を介装するように、その配置を行ってある。
【００４３】
従って、雨仕舞措置５は、躯体とこれに近接して配置したファサードＡにおける屋根３との間の空隙を、エキスパンションジョイントをなす如くに被覆して、雨水を躯体側長尺バー材５１の前方へ傾斜した天板によって屋根３に流下し、該空隙に雨水が浸入するのを有効に防止するようにしてあり、また、例えば、風雨時にも、双方の防雨条５３、５６が前後に重合して位置することによって、同じく風圧を減衰して、特に屋根側長尺バー材５４の防雨条５６を超えて、雨水が空隙に至るのを有効に防止するようにしてある。
【００４４】
このように形成したファサードＡは、大掛かりの工事や、これに伴う既設建造物１の損傷、騒音や塵埃の発生を可及的に抑制して、階段口１１の開口幅を可及的に狭小化することなく、階段口１１の狭い空間を拡張して、玄関ホールスペースとして、広面積にして居住者の使い勝手を良好として、風圧等の外力に対する支柱２ａ、２ｂや屋根３の強度を容易に確保し、また、ファサードＡの自立後付性を維持しながら、既設建造物１との空隙から雨水が浸入するのを防止したものとし、また、上記支柱２ａ、２ｂ間に架設パネル６を配置したことによって、ファサードＡにデザイン要素を付加し、該ファサードＡの外観を向上したものとすることができる。
【００４５】
図１０乃至図１４は、他の例を示すもので、本例にあって、躯体側一対の後方支柱２ａ及び正面側一対の前方支柱２ｂは、これらを、該支柱２ａ、２ｂ乃至金属構造材、本例にあっては支柱２ａ、２ｂにモルタル又はコンクリート被覆層２４を配置した表面モルタル被覆のモルタル製のものとしてある。本例のモルタル製の支柱２ａ、２ｂは、上記の、太径軸２１と細径軸２２を有する支柱２ａ、２ｂの、太径軸２１を、その上端を部分的に残して、該太径軸を金属板、例えば４〜５ｍｍの肉厚の厚肉鋼板を曲げ加工して相互に嵌合自在の断面コ字状とした一対の下地材によって被覆し、これにモルタル接着層を介してその前後にプレキャストコンクリートを被覆配置して、太径軸２１の上端以外に断面矩形のモルタル被覆層２４を形成したものとしてあり、該モルタル製の支柱２ａ、２ｂとすることによって、コンクリート製の既設建造物１との外観的な調和を図り、ファサードＡ設置の違和感を解消するとともに設置現場での簡易な施工によって支柱２ａ、２ｂを上気モルタル製のものとし得るようにしてある。図１０乃至図１４のその余は、上記例と変わらないので、同一符号を付して、重複する説明を省略する。
【００４６】
図１５乃至図２１は、同じく他の例を示すもので、本例にあって、上記躯体側一対の後方支柱２ａと正面側一対の前方支柱２ｂを中空金属製、例えばアルミ製とするとともに上記前方支柱２ｂを後方支柱２ａより上方に突出するよう双方を異長とし且つ該前方支柱２ｂの後方支柱２ａより上方に突出した突出部位に架設パネル６を配置してある。
【００４７】
このとき、これら支柱２ａ、２ｂは、例えば正面の横幅を３０ｃｍ程度、側面の前後幅を１２ｃｍ程度とした幅広矩形の断面形状をなすものとし、該支柱２ａ、２ｂの上下中間位置、前方支柱２ｂにあっては、その上端から上記架設パネル６の高さ分を下に下げた上方位置に、後方支柱２ａにあっては、上端近傍位置の各対向面に金属製又は合成樹脂製、本例にあっては透明乃至半透明の、例えばポリカーボネートによる高耐候性合成樹脂製の屋根パネル３４を配置することによって屋根３を形成するとともに該合成樹脂製の屋根パネル３４は、これを、前方支柱２ｂから更にその前方に張り出し状に配置したものとしてある。
【００４８】
本例の支柱２ａ、２ｂは、金属製、例えば４〜５ｍｍの肉厚の厚肉鋼板に曲げ加工と溶着を施して断面矩形を呈する芯材をなす中空の金属構造材２３に、同じく２ｍｍ程度の肉厚にして曲げ加工を施した表裏一対の断面コ字状の化粧材４、本例にあってはアルミ板を被覆した幅広矩形中空のものとしてあり、該化粧材４の被覆は、該アルミ板両端に形成した、上記と同様な断面Ｌ字状の固定条４１の先端を相互に重合するとともに中空の金属構造材２３に溶着した断面コ字状の接合金具４３に対接して、固定条４１間に形成される左右の溝から該接合金具４３にネジ７を螺入することによって該表裏一対のアルミ板を固定したものとしてあり、このとき該固定条４１間に形成される左右の溝には、同様に押縁４２を嵌合して、その溝塞ぎを行ってある。
【００４９】
屋根パネル３４は、ファサードＡの奥行き方向に複数分割、本例にあっては４分割して前方支柱２ｂから１枚の屋根パネル３４を正面側に突出配置し、３枚の屋根パネル３４を中間連結して前方支柱２ｂ及び後方支柱２ａ間に支持して屋根３を形成してあり、本例にあって該屋根パネル３３の支持は、前方支柱２ｂの上下中間、後方支柱２ａの上端の同一高さ位置に、該前方支柱２ｂ間と後方支柱２ａ間にそれぞれ屋根支持枠３５を架設する一方、屋根パネル３４の四周に屋根フレーム３１を配置し、該屋根フレーム３１を屋根支持枠３４に固定することによって介して行ってある。
【００５０】
屋根支持枠３５は、同じく厚肉鋼板を曲げ加工して断面Ｃ字状の長尺の鋼材によるものとしてあり、該屋根支持枠３５の支柱２ａ、２ｂへの固定は、同じく厚肉鋼板を曲げ加工して断面Ｃ字状の短寸材とするとともにその一端開口を閉塞する端部起立壁を備えたブラケット３９を用いて、該ブラケット３９の端部起立壁を支柱２ａ、２ｂの中空の金属構造材２３に対接し、ブラケット３９側からのボルトナット８で該端部起立壁を中空の金属構造材２３に締着固定するとともにブラケット３９の上向き溝内に屋根支持枠３５を嵌合支持して、その相互に重合した前後側壁をそれぞれネジ７等の固定金具で固定することによって、アルミ板を貫通して支柱２ａ、２ｂの中空の金属構造材２３間にその架設を行ってある。
【００５１】
屋根パネル３４の屋根フレーム３１は、中空基部３６と、該中空基部３６の一方又は双方の側壁に一体又は別体に突出配置した下位の支持受条３７と、上位の押え条３８とを備え、支持受条３７に屋根パネル３４端部を載置して、押え条３８を支持受条３７にネジ７等の固定金具によって固定し、該屋根パネル３４を挟持するようにして、該屋根パネル３４を固定するものとしてある。このとき、屋根フレーム３１は、ファサードＡの幅方向両側において上記４分割した４枚の屋根パネル３４の端部長さの長尺鋼製の構造材として、これらを一体に挟持する一方、各屋根パネル３４間及び前後端において該長尺の構造材に交差するように短尺、即ち、支柱２ａ、２ｂ間の長さに応じた４本の短尺鋼製の構造材として、これらを介設するように配置してある。
【００５２】
このとき屋根パネル３４は、その１枚を、前方支柱２ｂから正面側に突出し、３枚を前方支柱２ｂと後方支柱２ａ間に位置するように配置してあり、該屋根パネル３４の配置は、上記４本のうち、前方支柱２ｂ及び後方支柱２ａ間の２本の屋根フレーム３１を、上記屋根支持枠３５の下面に対接して、構造材を貫通したボルトを、屋根支持枠３５上面のナットに対して螺装して、屋根支持枠３５の長手方向所定間隔多数のボルトナット８によって行ったものとしてある。
【００５３】
前方支柱２ｂの突出部位に配置した架設パネル６は、該前方支柱２ｂの上端に、上記屋根支持枠３５と同様に形成したパネル支持枠６４を、同じくアルミパネルを貫通して同様にボルトナット８で固定し、該前方支柱２ｂ上下中間の上記屋根支持枠３５と同様に、中空の金属構造材と、該中空の金属構造材に被覆した表裏一対のアルミ板の化粧材４によって形成してある。該アルミ板は、２ｍｍ程度の肉厚にして曲げ加工を施して表側を断面コ字状、裏側を断面Ｌ字状として、それぞれその両端に上記と同様の断面Ｌ字条の固定条４１を備えるとともに該固定条４１を介して上端のパネル支持枠６４に、また、上下中間の屋根支持枠３５の側壁に、同様に重合した各固定条４１をネジ７等の固定金具で固定し、該固定条４１の溝に同じく押縁４２を嵌合してその溝塞ぎを行って、上記中空の金属構造材を被覆して前方支柱２ａ、２ｂ間の架設パネル６としてある。該上端の該架設パネルも、例えば、号棟や階段口符号を付してサインとし、また、デザイン要素とするように用いるものとしてある。
【００５４】
図１０乃至図１４及び図１５乃至２１のその余は、雨仕舞措置５を含めて上記例と変わらないので、同一符号を付して、重複する説明を省略する。
【００５５】
これらのファサードも、同じく大掛かりの工事や、これに伴う既設建造物１の損傷、騒音や塵埃の発生を可及的に抑制して、玄関ホールスペースとして、使い勝手と強度を確保した上記例と同様のものとすることができる。
【００５６】
図示した例は以上のとおりとしたが、図１５乃至２１のファサードの支柱を、その中空の金属構造材の表面にモルタル被覆層を形成したモルタル製とし、また、その上方を上記中空の金属構造材に上記と同様にアルミ板を被覆したものとすること、支柱をアルミ押出材、例えば２ｍｍ程度の厚肉のアルミ押出材によって形成し、また、架設パネルを、同様にアルミ押出材によって形成すること、支柱を、工場生産による軽量発泡コンクリート製とすること、屋根パネルを鋼板乃至アルミ板又はアルミ押出材によって形成すること、上記支柱を一対として、屋根の支持を、該一対の支柱に片持ち支持したものとすること、このとき一対の支柱を躯体側と正面側又は躯体側一対として、同様に階段口前のスペースを張出状に被覆するように屋根を配置すること、上記屋根片持ちの一対の支柱又は上記後方支柱と前方支柱間に、これら支柱間の空間を閉塞する防風パネルを配置したものとすること、屋根の平面形状を、楕円、方形等適宜のものとすること、屋根乃至支柱に照明手段を付加すること、雨仕舞措置の屋根側長尺バー材を屋根の後端に一体に起立、即ち、屋根フレーム、構造材等と一体に形成し又は一体的に配置したものとすること等を含めて、本発明の実施に当って、ファサード、支柱、屋根、雨仕舞措置等の各具体的形状、構造、材質、これらの関係、これらに対する付加等は、上記発明の要旨に反しない限り様々な形態のものとすることができる。
【符号の説明】
【００５７】
Ａ  ファサード
１  既設建造物
１１  階段口
２ａ  後方支柱
２ｂ  前方支柱
２１  太径軸
２２  細径軸
２３  金属構造材
２４  モルタル被覆層
２５  ベースプレート
２６  ホールインアンカー
３  屋根
３１  屋根フレーム
３２  構造材
３３  支持ベース
３４  屋根パネル
３５  屋根支持枠
３６  中空基部
３７  支持受条
３８  押え条
３９  ブラケット
４  化粧材
４１  固定条
４２  押縁
４３  接合金具
５  雨仕舞措置
５１  躯体側長尺バー材
５２  固定条
５３  防雨条
５４  屋根側長尺バー材
５５  固定条
５６  防雨条
６  架設パネル
６１  上下枠
６２  金属構造材
６３  支持金具
６４  パネル支持枠
７  ネジ
８  ボルトナット
【図１】
2011084917.tif 000003
【図２】
2011084917.tif 000004
【図３】
2011084917.tif 000005
【図４】
2011084917.tif 000006
【図５】
2011084917.tif 000007
【図６】
2011084917.tif 000008
【図７】
2011084917.tif 000009
【図８】
2011084917.tif 000010
【図９】
2011084917.tif 000011
【図１０】
2011084917.tif 000012
【図１１】
2011084917.tif 000013
【図１２】
2011084917.tif 000014
【図１３】
2011084917.tif 000015
【図１４】
2011084917.tif 000016
【図１５】
2011084917.tif 000017
【図１６】
2011084917.tif 000018
【図１７】
2011084917.tif 000019
【図１８】
2011084917.tif 000020
【図１９】
2011084917.tif 000021
【図２０】
2011084917.tif 000022
【図２１】
2011084917.tif 000023